(57)【要約】【課題】移動が容易で一人でも削蹄作業をすることが可能な削蹄用枠部材を提供する。【解決手段】削蹄用枠部材１に、対向し上下に延びた二つの縦桟１１、及び二つの縦桟１１の上端同士と下端同士を夫々連結し水平に延びた二つの横桟１２を夫々有した一対の枠体１０と、一対の枠体１０同士における一方側の縦桟１１ａ同士を回動可能に連結して一対の枠体１０同士を開閉可能に支持した蝶番部材１５と、一対の枠体１０における上側の横桟１２から夫々所定間隔で上方へ突出し、ロープを掛けることが可能な複数の掛部１８と、一対の枠体１０における蝶番部材１５で連結された一方側に支持され、ロープを巻取可能な巻取器２０と、を具備させる。【選択図】図１
2014100088.tif 000002
【特許請求の範囲】
【請求項１】
対向し上下に延びた二つの縦桟、及び二つの該縦桟の上端同士と下端同士を夫々連結し水平に延びた二つの横桟を夫々有した一対の枠体と、
一対の該枠体同士における一方側の前記縦桟同士を回動可能に連結して一対の前記枠体同士を開閉可能に支持した蝶番部材と、
一対の前記枠体における上側の前記横桟から夫々所定間隔で上方へ突出し、ロープを掛けることが可能な複数の掛部と、
一対の前記枠体における前記蝶番部材で連結された一方側に支持され、ロープを巻取可能な巻取器と
を具備することを特徴とする削蹄用枠部材。
【請求項２】
一対の前記枠体における前記蝶番部材で連結された側の下部に取付けられた車輪を更に具備することを特徴とする請求項１に記載の削蹄用枠部材。
【請求項３】
一対の前記枠体は、
上から見て前記蝶番部材の回転中心を通る線に対して前記横桟同士が対称に屈曲していることを特徴とする請求項１又は請求項２に記載の削蹄用枠部材。
【発明の詳細な説明】
【技術分野】
【０００１】
本発明は、削蹄する際に牛等を固定するための削蹄用枠部材に関するものである。
【背景技術】
【０００２】
牛等の家畜の蹄を削蹄する場合、動かないように家畜を押えた状態で、作業者によって家畜の蹄が上側をむくように肢を持ち上げて削蹄作業をしていた。この削蹄作業の際に、牛が嫌がって動こうとするため、複数の作業者で家畜を押えたり肢を持ち上げたりする必要があり、作業性が悪く重労働であった。これに対して、複数の柱を立てて家畜が入ることのできる空間を形成する枠本体と、枠本体内で家畜を吊り上げて保持する保持部とを備え、保持部によって家畜の四肢の蹄の前端が下向きとなるように保持することができる削蹄用枠部材が提案されている（例えば、特許文献１）。これにより、家畜が嫌がっても動くことができず、削蹄作業を楽に行うことができる。
【０００３】
しかしながら、特許文献１の削蹄用枠部材では、以下のような問題があった。まず、家畜を全体的に吊り上げて保持しているため、その作業に手間がかかると共に複数の作業者が必要となる問題があった。また、削蹄用枠部材全体が大型であるため、移動させることが困難であり、削蹄のために家畜を一頭ずつ移動させなければならない問題があった。更に、削蹄用枠部材が大型であるため、その設置場所や保管場所の確保に問題があった。
【発明の概要】
【発明が解決しようとする課題】
【０００４】
そこで、本発明は、上記の実情に鑑み、移動が容易で一人でも削蹄作業をすることが可能な削蹄用枠部材の提供を課題とするものである。
【課題を解決するための手段】
【０００５】
上記の課題を解決するために、本発明に係る削蹄用枠部材は、「対向し上下に延びた二つの縦桟、及び二つの該縦桟の上端同士と下端同士を夫々連結し水平に延びた二つの横桟を夫々有した一対の枠体と、一対の該枠体同士における一方側の前記縦桟同士を回動可能に連結して一対の前記枠体同士を開閉可能に支持した蝶番部材と、一対の前記枠体における上側の前記横桟から夫々所定間隔で上方へ突出し、ロープを掛けることが可能な複数の掛部と、一対の前記枠体における前記蝶番部材で連結された一方側に支持され、ロープを巻取可能な巻取器とを具備する」ことを特徴とする。
【０００６】
ここで、「枠体」としては、少なくとも二つの縦桟と二つの横桟とで構成されていれば良く、必要に応じて縦桟同士の間や横桟同士の間に補強用の桟を備えても良い。また、枠体の横桟の形状としては、「直線状のもの」、「水平面に沿ってクランク状、Ｌ字状、ジクザグ状等に適宜屈曲したもの」、等を例示することができる。
【０００７】
また、「掛部」としては、「ロープを挿通可能な孔を有したもの」、「鉤状のもの」、「棒状のもの」、等を例示することができる。
【０００８】
更に、「巻取器」としては、ロープを巻き取ることができるものであれば良く、巻き取ったロープが戻らないようなラチェット機構を備えたものを用いることが望ましい。また、巻取器は、一対の枠体の何れかに対して夫々着脱可能に支持させても良い。
【０００９】
本発明の削蹄用枠部材は、例えば、牛等の家畜の後ろ肢の蹄を削蹄する場合、畜舎の床面に枠体の下面を載置して一方側の縦桟同士を蝶番部材で連結した一対の枠体を開き、開放された他方側の縦桟を、家畜を係留した左右の柵状のストールに夫々ロープ等を用いて固定する。これにより、一対の枠体の間に家畜の後部が位置した状態となる。そして、一端側が巻取器に取付けられたロープを、削蹄する側の後ろ肢に近い枠体における上側の横桟に備えられた掛部に掛けた上で他端側を家畜の後ろ肢に取付ける。この状態で巻取器によってロープを巻き取ると、家畜の後ろ肢がロープによって持ち上げられ、当該後ろ肢の蹄に対して削蹄できる状態となり、削蹄作業を行うことができる。
【００１０】
このように、本削蹄用枠部材によれば、ストールと削蹄用枠部材とで牛等の家畜を保持することができると共に、巻取器でロープを巻き取るだけで家畜の肢を持ち上げることができるため、一人の作業者でも楽に削蹄作業を行うことができる。また、本削蹄用枠部材は、ストールに家畜を係留した状態で削蹄作業を行うことができるため、従来のように家畜をストールから移動させる必要がなく、削蹄作業の作業性を高めることができる。更に、本削蹄用枠部材は、家畜が慣れたストール内で削蹄作業を行うことができるため、家畜が嫌がり難くなり、家畜が暴れ難くなって作業の安全性を高めることができる。
【００１１】
また、本削蹄用枠部材は、開閉する一対の枠体を二つの縦桟と二つの横桟で形成した簡素な構成としているため、削蹄用枠部材の重量を軽くすることが可能となる。従って、削蹄用枠部材を一人でも楽に移動させることが可能となり、複数のストール間を容易に移動させることができる。
【００１２】
更に、本削蹄用枠部材は、蝶番部材によって一対の枠体の開き具合を大きくしたり小さくしたりすることができるため、ストールの設置間隔が異なっていても容易に対応させることができ、使い勝手の良い削蹄用枠部材とすることができる。更に、本削蹄用枠部材は、一対の枠体を開閉させることができるため、一対の枠体を閉じることで保管し易くすることができる。
【００１３】
また、本削蹄用枠部材は、枠体における上側の横桟に複数の掛部を備えているため、家畜の肢の位置に適した位置の掛部にロープを掛けることで、家畜の肢を最適な状態に持ち上げることができ、削蹄作業を楽に行うことができる。
【００１４】
本発明に係る削蹄用枠部材は、上記の構成に加えて、「一対の前記枠体における前記蝶番部材で連結された側の下部に取付けられた車輪を更に具備する」ことを特徴としても良い。
【００１５】
本削蹄用枠部材によれば、一対の枠体における蝶番部材で連結された一方側とは反対の他方側の縦桟が、畜舎等の床面から離れるように斜めに持ち上げることで、車輪のみが床面に接触した状態とすることができるため、削蹄用枠部材を一人でも楽に移動させることができる。
【００１６】
本発明に係る削蹄用枠部材は、上記の構成に加えて、「一対の前記枠体は、上から見て前記蝶番部材の回転中心を通る線に対して前記横桟同士が対称に屈曲している」ことを特徴としても良い。
【００１７】
ところで、枠体の横桟を直線状のものとした場合、削蹄するために一対の枠体を開いた角度によっては、蝶番部材側である一方側の間隔が狭くなりすぎてしまい、一対の枠体の間に家畜を入れることができなくなってしまう虞がある。
【００１８】
これに対して、本削蹄用枠部材によれば、一対の枠体における互いの横桟を、蝶番部材の回転中心を通る線に対して対称に屈曲させており、横桟を直線状のものとした場合と比較して、一対の枠体を開いた角度が同じでも、横桟同士を蝶番部材から他方側へ向かうに従って大きく離反させることが可能となるため、一対の枠体における一方側の間隔が狭くなりすぎるのを回避させることができる。従って、本削蹄用枠部材は、ストールの間隔が狭くても、一対の枠体の間に家畜を容易に入れることができ、家畜の削蹄作業を確実に行うことができる。
【発明の効果】
【００１９】
このように、本発明によれば、移動が容易で一人でも削蹄作業をすることが可能な削蹄用枠部材を提供することができる。
【図面の簡単な説明】
【００２０】
【図１】本発明の削蹄用枠部材の一実施形態を示す斜視図である。
【図２】（ａ）は図１の削蹄用枠部材の平面図であり、（ｂ）は（ａ）の削蹄用枠部材の正面図である。
【図３】図１の削蹄用枠部材の使用状態を示す説明図である。
【発明を実施するための形態】
【００２１】
本発明の一実施形態である削蹄用枠部材１について、図１乃至図３を参照して詳細に説明する。本実施形態の削蹄用枠部材１は、牛等の家畜の削蹄作業に用いるためのものである。本実施形態の削蹄用枠部材１は、鉄やアルミ合金等の金属によって形成されており、一対の枠体１０と、一方側（図２において左側）で一対の枠体１０同士を開閉可能に連結した蝶番部材１５（図１を参照）と、を備えている。なお、本実施形態では、家畜として牛Ｃを例に説明する。
【００２２】
各枠体１０は、対向し上下に延びた二つの縦桟１１と、二つの縦桟１１の上端同士と下端同士を夫々連結し水平に延びた二つの横桟１２と、を有している。枠体１０における二つの縦桟１１は、一方側の縦桟１１ａが、断面正方形の角パイプ材によって形成されており、他方側の縦桟１１ｂが、断面Ｌ字形のアングル材によって形成されている。そして、一対の枠体１０は、一方側の縦桟１１ａ同士が蝶番部材１５によって回動可能に連結されている。
【００２３】
枠体１０における二つの横桟１２は、何れも断面円形の丸パイプ材によって形成されている。二つの横桟１２は、上から見て蝶番部材１５側である一方側と反対の他方側とが互いに異なる方向へ屈曲している。そして、一対の枠体１０は、図２（ａ）に示すように、上から見て蝶番部材１５の回転中心を通る線に対して横桟１２同士が対称に屈曲した状態で、蝶番部材１５によって連結されている。これにより、一対の枠体１０における横桟１２同士は、一方側では蝶番部材１５から互いに離反する方向へ延出した後に互いの方向へ屈曲し、他方側では互いに離反する方向へ屈曲している。
【００２４】
なお、枠体１０における二つの横桟１２は、上側の横桟１２が、下側の横桟１２よりも大径の丸パイプ材を用いている。これにより、後述する掛部１８に掛けられたロープＲ（図３を参照）を介して牛Ｃからの荷重が上側の横桟１２に作用しても、横桟１２を撓み難くして牛Ｃの肢Ｌを良好に持ち上げることができる。
【００２５】
蝶番部材１５は、図１に拡大して示すように、一対の平板状の取付板１５ａと、夫々の取付板１５ａにおける対向した辺に沿って所定間隔で且つ互い違いに備えられた複数の筒状の軸受部１５ｂと、同軸上に配置された複数の軸受部１５ｂに挿通された軸部材１５ｃと、を備えている。蝶番部材１５は、一対の取付板１５ａを、一対の枠体１０における縦桟１１ａに取付けることで、一対の枠体１０を回転可能（開閉可能）に連結することができる。
【００２６】
また、削蹄用枠部材１は、蝶番部材１５によって連結された二つの縦桟１１ａの下端から互いに離反する方向へ水平に突出した一対の脚部１６と、蝶番部材１５によって連結された二つの縦桟１１ａの内の一方の下部に取付けられた車輪１７と、一対の枠体１０における上側の横桟１２から夫々所定間隔で上方へ突出し、ロープＲの掛けることが可能な複数の掛部１８と、一対の枠体１０における蝶番部材１５によって連結された一方側に着脱可能に支持され、ロープＲを巻取可能な巻取器２０と、を備えている。
【００２７】
脚部１６は、断面Ｌ字形のアングル材によって形成されており、頂点を上にした状態で縦桟１１ａに取付けられている。車輪１７は、図示するように、ステーを介して縦桟１１ａに取付けられている。掛部１８は、逆Ｕ字形に形成されており、ロープＲを挿通可能な孔を有している。なお、掛部１８は、本実施形態では一つの横桟１２に対して三つ取付けられている。
【００２８】
巻取器２０は、枠体１０に着脱可能に支持された逆Ｌ字形の本体部２１と、本体部２１の先端側で上下に貫通した軸受部２２と、軸受部２２よって回転可能に支持されていると共に軸受部２２から上下に延びた棒状の軸部２３と、軸部２３の下端に取付けられロープＲが巻かれるボビン２４と、軸部２３の上端から軸直角方向へ延びた棒状のハンドル部２５と、軸受部２２に備えられ軸部の回転方向を何れか一方のみに規制可能なラチェット機構（図示は省略）と、を備えている。
【００２９】
巻取器２０の本体部２６は、枠体１０の縦桟１１ａを形成する角パイプ材の内形よりも若干小さい外形の角パイプ材によって形成されている。この本体部２６は、上下方向へ延び下部が一対の枠体１０における縦桟１１ａ内に上方から挿入される支持部２１ａと、支持部２１ａの上端からボビン２４の旋回半径よりも長く水平に延びた延出部２１ｂと、支持部２１ａにおけるボビン２４よりも下側の位置の全周から板状に突出した鍔部２１ｃと、支持部２１ａにおけるボビン２４と略同じ高さの位置に備えられロープＲを挿通可能な環状の誘導部２１ｄと、を備えている。
【００３０】
巻取器２０のボビン２４は、軸部２３と同軸上に延びた円筒状のボビン本体２４ａと、ボビン本体２４ａの両端から軸直角方向へ板状に延出した一対のフランジ部２４ｂと、を備えている。ボビン２４の一対のフランジ部２４ｂは、軸方向から見ると略正方形に形成されている。
【００３１】
この巻取器２０は、本体部２１における支持部２１ａの下部を枠体２０の縦桟１１ａ内へ挿入することで、何れの枠体１０に対しても着脱可能に支持させることができる。また、巻取器２０は、ハンドル部２５を操作してボビン２４を回転させることで、ボビン２４にロープＲを巻き取ったり、ボビン２４に巻き取ったロープＲを繰り出したりすることができる。
【００３２】
本実施形態の削蹄用枠部材１は、一対の枠体１０における各縦桟１１の下面と脚部１６の下面とが、床面Ｗ（図３を参照）に当接することで、床面Ｗに載置することができる。また、削蹄用枠部材１は、蝶番部材１５の軸部材１５ｃを中心に一対の枠体１０同士を開閉させることができる。更に、削蹄用枠部材１は、一対の枠体１０における縦桟１１ｂ側を持ち上げることで、車輪１７のみが床面Ｗに接触した状態とすることができる。
【００３３】
続いて、本実施形態の削蹄用枠部材１の使用方法について説明する。まず、牛舎の床面Ｗに枠体１０の下面を載置して蝶番部材１５を中心に一対の枠体１０同士を開き、図３に示すように、縦桟１１ｂを、牛Ｃを係留した左右の柵状のストールＳに夫々ロープ等を用いて固定する。この際に、縦桟１１ｂにおけるＬ字形の二辺を、ストールＳに当接させることで、縦桟１１ｂをストールＳに対してしっかりと固定することができる。そして、縦桟１１ｂをストールＳに固定することで、削蹄用枠部材１における一対の枠体１０の間に牛Ｃの後部が位置した状態となる。
【００３４】
次に、一対の枠体１０のうち削蹄する肢Ｌに近い側の枠体１０の縦桟１１ａに巻取器２０を支持させる。そして、巻取器２０のボビン２４にロープＲの一端側を取付けた上で、他端側を、本体部２１の誘導部２１ｄを通過させる。更にロープＲの他端側を、上側の横桟１２に備えられた適宜位置の掛部１８に挿通させて掛けた上で、牛Ｃの肢Ｌに取付ける。この状態で巻取器２０のハンドル部２５を回転操作してロープＲを巻き取ると、牛Ｃの肢ＬがロープＲによって持ち上げられ、当該肢Ｌの蹄に対して削蹄できる状態となり、削蹄作業を行うことができる。
【００３５】
このように、本実施形態の削蹄用枠部材１によると、ストールＳと削蹄用枠部材１とで牛Ｃを保持することができると共に、巻取器２０でロープＲを巻き取るだけで牛Ｃの肢Ｌを持ち上げることができるため、一人の作業者でも楽に削蹄作業を行うことができる。また、ストールＳに牛Ｃを係留した状態で削蹄作業を行うことができるため、従来のように牛ＣをストールＳから移動させる必要がなく、削蹄作業の作業性を高めることができる。更に、牛Ｃが慣れたストールＣ内で削蹄作業を行うことができるため、牛Ｃが嫌がり難くなり、牛Ｃが暴れ難くなって作業の安全性を高めることができる。
【００３６】
また、開閉する一対の枠体１０の夫々を二つの縦桟１１と二つの横桟１２で形成した簡素な構成としているため、削蹄用枠部材１の重量を軽くすることができる。また、一対の枠体１０の縦桟１１ｂが、床面Ｗから離れるように横桟１２を斜めに持ち上げることで、車輪１７のみが床面に接触した状態とすることができるため、削蹄用枠部材１を一人でも楽に移動させることができ、複数のストールＳ間を容易に移動させることができる。
【００３７】
更に、蝶番部材１５によって一対の枠体１０の開き具合を大きくしたり小さくしたりすることができるため、ストールＳの設置間隔が異なっていても容易に対応させることができ、使い勝手の良い削蹄用枠部材１とすることができる。更に、一対の枠体１０を開閉させることができるため、一対の枠体１０を閉じることで保管し易くすることができる。
【００３８】
また、枠体１０における上側の横桟１２に複数の掛部１８を備えているため、牛Ｃの肢Ｌの位置に適した位置の掛部１８にロープＲを掛けることで、牛Ｃの肢Ｌを最適な状態に持ち上げることができ、削蹄作業を楽に行うことができる。また、本実施形態では、逆Ｕ字形の掛部１８にロープＲを挿通させているため、万が一牛Ｃが暴れてもロープＲが掛部１８から外れることがなく、削蹄作業の安全性を高めることができる。
【００３９】
また、一対の枠体１０における縦桟１１ｂ側の横桟１２同士が、互いに離反する方向へ屈曲しているため、横桟１２の屈曲した部位によって牛ＣをストールＳの間から蝶番部材１５側へ誘導し易くすることができる。従って、一対の枠体１０の間に牛Ｃを容易に入れることができ、牛Ｃ等の家畜の削蹄作業を確実に行うことができる。
【００４０】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４１】
例えば、上記の実施形態では、掛部１８としてロープＲを挿通可能な孔を有したものを示したが、これに限定するものではなく、鉤状のものや、棒状のものとしても良い。
【符号の説明】
【００４２】
１  削蹄用枠部材
１０  枠体
１１  縦桟
１２  横桟
１５  蝶番部材
１６  脚部
１７  車輪
１８  掛部
２０  巻取器
Ｃ  牛
Ｌ  肢
Ｒ  ロープ
Ｓ  ストール
【先行技術文献】
【特許文献】
【００４３】
【特許文献１】特開２００４−２０８５１０号公報
【図１】
2014100088.tif 000003
【図２】
2014100088.tif 000004
【図３】
2014100088.tif 000005